(57)【要約】【課題】  糸をはじく音を電気的に増幅できるだけではなく、簡単、低コストの仕組みで音を漏らすことなく捕集し、三味線本来の音色を忠実に増幅し、演奏活動の幅を広げることができるようにする。【解決手段】  胴１や駒２の振動を電気信号に変換して出力するトランスデューサー３と、このトランスデューサー３の出力信号を外部のアンプ４及びスピーカ５に送るためアンプ４のプラグ７が差し込まれる出力端子６とを備える。上記のトランスデューサー３を、胴１の上面の裏側で、且つ駒２に対応する位置に設ける。【選択図】      図１
0003113629.tif 000002
【実用新案登録請求の範囲】
【請求項１】
胴や駒の振動を電気信号に変換して出力するトランスデューサーと、このトランスデューサーの出力信号を外部のアンプ及びスピーカに送るためアンプのプラグが差し込まれる出力端子とを備えて形成されているエレキ三味線であって、上記のトランスデューサーが、胴の上面の裏側で、且つ駒に対応する位置に設けられていることを特徴とするエレキ三味線。
【請求項２】
請求項１記載のエレキ三味線であって、一方のトランスデューサーが、一の糸と二の糸を掛ける駒の各糸道の下方に設けられ、他方のトランスデューサーが、三の糸を掛ける駒の糸道の下方に設けられていることを特徴とするエレキ三味線。
【考案の詳細な説明】
【技術分野】
【０００１】
本考案は、三味線に関し、更に詳しくはアンプによって音を電気的に増幅し、演奏の幅を広げることができるよう形成したエレキ三味線に関するものである。
【背景技術】
【０００２】
三味線は、胴の表面に獣皮を張り、棹の先端の糸巻と胴の端部との間に張った糸をはじくことで音を出すが、このような構成では、従来、音の大きさに限界があった。そのため従来、大きな演奏会場等で演奏する場合は、マイクロフォンを使用し、スピーカで大音量化することが行なわれている。しかしマイクロフォンの場合は、スタンドマイクの位置から離れて演奏することができず、演奏活動に制約が生じ、また衣服に装着して使用するマイクロフォンの場合は、三味線の糸の反対側にマイクロフォンが配置されるため、音を充分拾い難く、また例えば三味線自体にマイクロフォンを付けるとバチ捌きに支障を来たす、という問題点があった。
【０００３】
而して従来、このような問題を解消するため、三味線の胴の上面の裏側に、振動を電気信号に変換する圧電素子等からなるピックアップを設置する構造の三味線が知られている（例えば特許文献１参照）。
【０００４】
しかしこの従来品の場合は、ピックアップを、胴の上面の裏側に設ける振動制御板の切欠部内に配置しているものであった。従ってこの従来品によると、バチ等ではじいた三味線の三本の糸の振動音を、直接、且つ忠実に捕集できない、という問題点があった。
【特許文献１】特開２００４−２６４６２７号公報
【考案の開示】
【考案が解決しようとする課題】
【０００５】
本考案は、このような従来品の問題点に鑑み、提案されたものである。
従って本考案が解決しようとする課題は、糸の振動音を電気的に増幅できるだけではなく、直接、且つ忠実に捕集して三味線本来の音色を再現でき、演奏活動の幅を広げることができるよう形成したエレキ三味線を提供することにある。
【課題を解決するための手段】
【０００６】
本考案は、上記の課題を解決するため、次のような技術的手段を採る。
即ち本考案のエレキ三味線は、図１等に示されるように、胴１や駒２の振動を電気信号に変換して出力するトランスデューサー３と、このトランスデューサー３の出力信号を外部のアンプ４及びスピーカ５に送るためアンプ４のプラグ７が差し込まれる出力端子６とを備えて形成されているエレキ三味線であって、上記のトランスデューサー３が、胴１の上面の裏側で、且つ駒２に対応する位置に設けられていることを特徴とする（請求項１）。
【０００７】
ここで、トランスデューサー３としては、圧電素子等のセンサーや、マイクロフォンがある。而して本考案の場合、トランスデューサー３は、図３に示されるように、一方のトランスデューサー３ａが、一の糸９と二の糸１０を掛ける駒２の各糸道２ａ、２ｂの下方に設けられ、他方のトランスデューサー３ｂが、三の糸１１を掛ける駒２の糸道２ｃの下方に設けられているのが好ましい（請求項２）。
【０００８】
駒２は、糸の振動を胴１の上面に伝えるものであり、音色に大きな影響を与えるものである。この請求項２に係る本考案の場合は、一方のトランスデューサー３ａが、一の糸９と二の糸１０をカバーし、一の糸９と二の糸１０が出す低域、中域の音を確実にピックアップし、三の糸１１の高域の音は他方のトランスデューサー３ｂが専用的に拾う。従ってこれによると、糸の振動音を、効率良く、且つバランス良く捕集できる、という利点がある。
【考案の効果】
【０００９】
本考案は、このように糸の振動を電気的に増幅して外部のスピーカから大音量で出力するエレキ三味線であって、胴や駒の振動をピックアップするトランスデューサーが、胴の上面の裏側で、且つ駒に対応する位置に設けられているものである。
従って本考案を使用すれば、糸をはじく音を電気的に増幅できるだけではなく、音を忠実、確実に漏らすことなく捕集でき、三味線本来の音色を増幅でき、演奏活動の幅を広げることができる。
【考案を実施するための最良の形態】
【００１０】
以下、本考案の好適な一実施形態を添付図面に従って説明する。
本考案は、胴１や駒２の振動を電気信号に変換して出力するトランスデューサー３と、このトランスデューサー３の出力信号を外部のアンプ４及びスピーカ５に送るためアンプ４のプラグ７が差し込まれる出力端子６とを備えて形成されている。トランスデューサー３は、この実施形態では圧電素子で構成されている。出力端子６は、圧電素子からの電気信号を増幅する増幅器６ａを備えて形成されている。出力端子６と、トランスデューサー３としての圧電素子とは、リード線８で電気的に接続されている。
【００１１】
また上記のトランスデューサー３は、胴１の上面の裏側で、且つ駒２に対応する位置に、この実施形態では駒２の長手方向に沿って一定の間隔をあけて一対設けられている。具体的には、図３に示されるように、一方のトランスデューサー３ａが、一の糸９の糸道２ａと、二の糸１０の糸道２ｂの下方に設けられ、他方のトランスデューサー３ｂが、三の糸１１を掛けるための糸道２ｃの下方に設けられている。
【００１２】
この実施形態の本考案は、このような構成に係るから、一方のトランスデューサー３ａが、一の糸９による低域の振動音と、二の糸１０の中域の振動音を拾い、これを電気信号に変換して出力する。また他方のトランスデューサー３ｂは、主として三の糸１１の高域の振動音をピックアップし、電気信号に変換して出力する。これらの出力信号は、出力端子６と電気的に接続される外部のアンプ４で増幅され、スピーカ５で拡声される。
【図面の簡単な説明】
【００１３】
【図１】本考案のエレキ三味線の好適な一実施形態を示す正面図である。
【図２】同上エレキ三味線の要部のブロック図である。
【図３】同上エレキ三味線の一部を切欠した要部正面図である。
【符号の説明】
【００１４】
１    胴
２    駒
３    トランスデューサー
４    アンプ
５    スピーカ
６    出力端子
７    プラグ
【図１】
0003113629.tif 000003
【図２】
0003113629.tif 000004
【図３】
0003113629.tif 000005